(57)【要約】【課題】動的に確保される通信端末群の間で送受される主信号を、対応する通信路だけに確実に収容する。【解決手段】本発明は、通信管理装置と端末管理装置が、通信装置群、通信路群及び通信端末群を予約する際に、必要な端末情報及び主信号情報を交換し、主信号の収容制御を行う。また、端末情報及び主信号情報を交換する際に、通信管理装置と端末管理装置が資源管理装置と情報の交換を行い、通信管理装置と端末管理装置の互いの存在の管理を省略する。さらに、パケットフィルタなどの適用など、特定の信号を収容し、当該特定の信号のみに品質制御を行う。【選択図】図１
2010068140.tif 000002
【特許請求の範囲】
【請求項１】
主信号の送受機能を具備する通信端末群と、主信号の転送機能を具備する通信装置群と、通信装置及び主信号を転送するための通信路を制御ならびに管理する機能を具備する１台以上の通信管理装置と、通信端末を制御並びに管理する機能を具備する１台以上の端末管理装置と、クライアントの要求に応じて該通信管理装置と該端末管理装置と連携して該通信路及び該通信端末を確保する機能を具備する１台以上の資源管理装置群と、で構成される資源管理ネットワークにおいて、該主信号を制御する信号制御方法であって、
前記クライアントの要求に基づいて、前記通信管理装置と前記端末管理装置が前記通信路と前記通信端末を確保する前後に、
前記端末管理装置が、
記憶手段から、確保される通信端末群の端末情報、もしくは、確保される通信端末群の間を流れる主信号の主信号情報を読み出して、前記通信管理装置と交換する信号情報交換ステップと、
確保される通信端末群を制御する端末制御ステップと、
を実行し、
前記通信管理装置が、
前記信号情報交換ステップにおいて取得した前記主信号情報を特定して、通信装置群を制御し、確保される通信路に前記主信号を収容する信号制御ステップを
実行することを特徴とする信号制御方法。
【請求項２】
前記信号情報交換ステップにおいて、
前記通信管理装置と前記端末管理装置と前記資源管理装置が連携して確保される通信端末群の端末情報、もしくは、確保される通信端末群の間を流れる主信号の主信号情報を交換する
請求項１記載の信号制御方法。
【請求項３】
前記信号制御ステップにおいて、
前記信号情報交換ステップにおいて取得した前記主信号情報を特定し、前記通信装置群を制御して特定された主信号の通信品質を前記クライアントからの要求に応じて制御する
請求項１記載の信号制御方法。
【請求項４】
主信号の送受機能を具備する通信端末群と、主信号の転送機能を具備する通信装置群と、通信装置及び主信号を転送するための通信路を制御ならびに管理する機能を具備する１台以上の通信管理装置と、通信端末を制御並びに管理する機能を具備する１台以上の端末管理装置と、クライアントの要求に応じて該通信管理装置と該端末管理装置と連携して該通信路及び該通信端末を確保する機能を具備する１台以上の資源管理装置群と、で構成される資源管理ネットワークシステムであって、
前記クライアントの要求に基づいて、前記通信管理装置と前記端末管理装置が前記通信路と前記通信端末を確保する前後に、
前記端末管理装置は、
通信端末群の端末情報、確保される通信端末群の間を流れる主信号の主信号情報を格納する第１の記憶手段と、
前記第１の記憶手段から確保される前記通信端末群の端末情報、もしくは、前記確保される通信端末群の間を流れる主信号の主信号情報を読み出して、前記通信管理装置と交換する信号情報交換手段と、
確保される通信端末群を制御する端末制御手段と、
を有し、
前記通信管理装置は、
通信路の設定方法を格納した第２の記憶手段と、
前記信号情報交換手段において取得した前記主信号情報を特定して、前記第２の記憶手段を参照して通信装置群を制御し、確保される通信路に前記主信号を収容する信号制御手段と、
を有することを特徴とする資源管理ネットワークシステム。
【請求項５】
前記信号情報交換手段は、
前記通信管理装置と前記端末管理装置と前記資源管理装置が連携して確保される通信端末群の端末情報、もしくは、確保される通信端末群の間を流れる主信号の主信号情報を交換する手段を含む
請求項４記載の資源管理ネットワークシステム。
【請求項６】
前記信号制御手段は、
前記信号情報交換手段において取得した前記主信号情報を特定し、前記通信装置群を制御して特定された主信号の通信品質を前記クライアントからの要求に応じて制御する手段を含む
請求項４記載の資源管理ネットワークシステム。
【発明の詳細な説明】
【技術分野】
【０００１】
本発明は、信号制御方法及び資源管理ネットワークシステムに係り、特に、動的に通信を開始する通信端末群の間を流れる主信号を特定し、その主信号を収容するために確保される通信路に正しく収容するための信号制御方法及び資源管理ネットワークシステムに関する。
【背景技術】
【０００２】
International Telecommunication Union Telecommunication Standardization Sector (ITU-T)は、Next Generation Network (NGN)の標準化を推し進めてきた。このＮＧＮは、アプリケーションやサービスに応じて可変長の主信号に対して通信品質を保証可能である。すなわち、ＮＧＮはＩＰネットワークのように可変長の主信号を転送し、かつ、ＳＤＨ(Synchronous Digital Hierarchy)やＡＴＭ (Asynchronous Transfer Mode)ネットワークのように品質保証するように設計されている。近年、ＮＧＮの実用への気運も高まっている。
【０００３】
一方、研究開発分野では、アプリケーションやユーザの要求に応じて帯域保証付きの通信路を動的に割り当てる方法ならびにシステムに関する研究開発が進展している。
【０００４】
図２０に、計算機、電話機、カメラ、及びストレージなどの通信端末２０と、通信装置１０で構成される汎用的なネットワークのイメージを示す。以下において、図２０を用いてこれまでの研究開発の例を示す。
【０００５】
図２１は、従来の技術における制御信号の交換例（その１）を示す。
【０００６】
（１）ユーザなどのクライアントが、ネットワークを介してアプリケーションを実行する場合、もしくは、データなどを転送する場合に通信管理装置３０、もしくは、それと同等の通信装置１０に所望の帯域及びその他の通信品質を満たす通信路の予約を要求する。
【０００７】
（２）次に、通信管理装置３０などが予約要求に基づいて通信装置１０ならびに通信路６０を制御する（例えば、非特許文献１参照）。
【０００８】
図２２は、従来の技術における制御信号の交換例（その２）を示す。
【０００９】
（１）ユーザなどのクライアントが、ネットワークを介してアプリケーションを実行する場合、もしくは、データなどを転送する場合に対向の通信端末に対して処理要求を通知する。
【００１０】
（２）次に、通信端末２０がその処理要求を契機に通信管理装置３０に所望の帯域に及びその他の通信品質を満たす通信路の予約を要求する。
【００１１】
（３）最後に、通信管理装置３０が予約要求に基づいて、通信装置１０並びに通信路６０を制御する（例えば、特許文献１参照）。
【００１２】
図２３は、従来の技術における制御信号の交換例(その３)を示す。
【００１３】
（１）近年の研究開発では、まず、ユーザもしくはアプリケーションなどのクライアントが、ネットワークを介してアプリケーションを実行する場合、もしくは、データなどを転送する場合に資源管理装置５０に処理要求を送信する。
【００１４】
（２）資源管理装置５０は、処理要求に基づいて資源予約を依頼すべき端末管理装置４０と通信管理装置３０を確定する。次に、資源管理装置５０は、処理要求に基づいて端末管理装置４０に利用可能な通信端末の予約要求を行い、同様に、処理要求に基づいて通信管理装置３０に利用可能な通信路の予約要求を行う。
【００１５】
（３）端末管理装置４０及び通信管理装置３０は、予約要求に基づいて通信端末２０と通信路６０の割り当てを実行する（例えば、非特許文献２、非特許文献３参照）。
【００１６】
資源管理装置５０は、通信管理装置３０及び端末管理装置４０の存在確認並びに情報取得を行う際に、図２４に示される情報管理装置７０、もしくはそれに類する技術を利用している。以上を鑑みると、１９９０年代から２００５年までの研究開発テーマは、図２５に示されるとおりにユーザなどのクライアントと通信端末２０との間の通信の帯域保証技術及び経路制御技術が中心であった。このようなクライアントと通信端末２０との間の通信の場合、クライアントもしくは通信端末は通信の始点と終点を明確に知っており、クライアントと通信端末２０の間で交換される主信号の特徴を把握している。通信管理装置３０は、クライアントと通信端末２０との間で交換される主信号の特徴をクライアントもしくは通信端末２０から通知されることにより、通信路上の通信装置１０に対して適切な収容制御設定を実行可能となる。そして、通信装置１０は設定された収容制御設定に基づいて流入出する無数の主信号の中から所望の主信号だけを選択して所望の通信路に収容可能となる。
【００１７】
一方、２００５年以降の研究開発テーマは、図２６に示されるとおりに通信端末２０間の帯域保証技術及び経路制御技術が中心である。
【特許文献１】特開２００３−５１８４６号公報
【非特許文献１】山田一久、他「マルチサービスＩＰ網におけるユーザ要求を考慮した適応型QoS制御システムの設計と評価」電子情報通信学会論文誌、Vol. J86-B No.3, 2003
【非特許文献２】竹房あつ子、他「グリッドにおける計算資源と光パスネットワーク資源のコア路オケーション実験」SACSIS(Symposium on Advanced Computing systems and Infrastructures) 2006
【非特許文献３】竹房あつ子、他「ミドルウェア連携による計算・ネットワーク資源の日米間グリッドコアロケーション実験」第１６４回計算機アーキテクチャ・第１０９回ハイパフォーマンスコンピューティンググ合同研究発表会
【発明の開示】
【発明が解決しようとする課題】
【００１８】
しかしながら、現在まで、通信端末間で交換される主信号を帯域保証かつ経路制御された所望の通信路に動的かつ正確に収容する方法が検討されていない。さらに、従来の収容制御技術を流用することも不可能である。
【００１９】
なぜなら、ユーザは、自身の処理要求に基づいて端末管理装置が自律的に確保する通信端末の情報を把握できない。さらに、資源管理装置の予約要求に基づいて端末管理装置群が互いに独立して通信端末を確保するため、確保された通信端末は対向の通信端末を把握できない。同様に、端末管理装置は、他の端末管理装置によって確保された通信端末の情報を把握できない。すなわち、図２３に示されるネットワークにおいて、通信端末間で交換される主信号の特徴を把握可能な通信装置、通信端末、端末管理装置、通信管理装置、資源管理装置はない。以上により、従来技術を用いただけでは、端末管理装置を介して動的に確保される通信端末群の間を流れる主信号を所望の通信路だけに収容することは実現不可能である。
【００２０】
本発明は、上記の点に鑑みなされたもので、動的に確保される通信端末群の間で送受される主信号を、対応する通信路だけに確実に収容することが可能な信号制御方法及び資源管理ネットワークシステムを提供することを目的とする。
【課題を解決するための手段】
【００２１】
図１は、本発明の原理を説明するための図である。
【００２２】
本発明（請求項１）は、主信号の送受機能を具備する通信端末群と、主信号の転送機能を具備する通信装置群と、通信装置及び主信号を転送するための通信路を制御ならびに管理する機能を具備する１台以上の通信管理装置と、通信端末を制御並びに管理する機能を具備する１台以上の端末管理装置と、クライアントの要求に応じて該通信管理装置と該端末管理装置と連携して該通信路及び該通信端末を確保する機能を具備する１台以上の資源管理装置群と、で構成される資源管理ネットワークにおいて、該主信号を制御する信号制御方法であって、
クライアントの要求に基づいて、通信管理装置と端末管理装置が通信路と通信端末を確保する前後に、
端末管理装置が、
記憶手段から、確保される通信端末群の端末情報、もしくは、確保される通信端末群の間を流れる主信号の主信号情報を読み出して（ステップ１）、通信管理装置と交換する（ステップ２）信号情報交換ステップと、
確保される通信端末群を制御する（ステップ３）端末制御ステップと、
を実行し、
通信管理装置が、
信号情報交換ステップにおいて取得した主信号情報を特定して、通信装置群を制御し（ステップ４）、確保される通信路に主信号を収容する（ステップ５）信号制御ステップを実行する。
【００２３】
なお、上記の端末制御ステップと信号制御ステップの処理順序は逆であってもよい。
【００２４】
また、本発明（請求項２）は、信号情報交換ステップ（ステップ２）において、
通信管理装置と端末管理装置と資源管理装置が連携して確保される通信端末群の端末情報、もしくは、確保される通信端末群の間を流れる主信号の主信号情報を交換する。
【００２５】
また、本発明（請求項３）は、信号制御ステップ（ステップ３）において、
信号情報交換ステップにおいて取得した主信号情報を特定し、通信装置群を制御して特定された主信号の通信品質をクライアントからの要求に応じて制御する。
【００２６】
図２は、本発明の原理構成図である。
【００２７】
本発明（請求項４）は、主信号の送受機能を具備する通信端末群２０と、主信号の転送機能を具備する通信装置群１０と、通信装置１０及び主信号を転送するための通信路を制御ならびに管理する機能を具備する１台以上の通信管理装置３０と、通信端末２０を制御並びに管理する機能を具備する１台以上の端末管理装置４０と、クライアントの要求に応じて該通信管理装置３０と該端末管理装置４０と連携して該通信路及び該通信端末２０を確保する機能を具備する１台以上の資源管理装置群と、で構成される資源管理ネットワークシステムであって、
クライアントの要求に基づいて、通信管理装置３０と端末管理装４０置が通信路と通信端末を確保する前後に、
端末管理装置４０は、
通信端末群の端末情報、確保される通信端末群の間を流れる主信号の主信号情報を格納する第１の記憶手段と、
第１の記憶手段４４から確保される通信端末群の端末情報、もしくは、確保される通信端末群の間を流れる主信号の主信号情報を読み出して、通信管理装置３０と交換する信号情報交換手段４３１と、
確保される通信端末群２０を制御する端末制御手段４３２と、を有し、
通信管理装置３０は、
通信路の設定方法を格納した第２の記憶手段３４と、
信号情報交換手段４３１において取得した主信号情報を特定して、第２の記憶手段３４を参照して通信装置群１０を制御し、確保される通信路に主信号を収容する信号制御手段３３と、を有する。
【００２８】
また、本発明（請求項５）は、信号情報交換手段４３１において、
通信管理装置３０と端末管理装置４０と資源管理装置５０が連携して確保される通信端末２０群の端末情報、もしくは、確保される通信端末２０群の間を流れる主信号の主信号情報を交換する手段を含む。
【００２９】
また、本発明（請求項６）は、信号制御手段３３において、
信号情報交換手段４３１において取得した主信号情報を特定し、通信装置１０群を制御して特定された主信号の通信品質をクライアントからの要求に応じて制御する手段を含む。
【発明の効果】
【００３０】
本発明は、通信管理装置と端末管理装置が、クライアントの要求に応じて連携して通信装置群及び通信路群と通信端末群とを予約する際、もしくは、その前後に、予約された通信端末によって生成される主信号を予約された通信路に収容制御する際に必要な端末情報、もしくは主信号情報を交換する。同時に、通信管理装置が確定された主信号情報に基づいて通信装置を制御し、端末管理装置が通信端末を制御する。これにより、通信管理装置は通信装置に対して主信号を収容制御するための適切な設定が可能となり、所望の主信号を所望の通信路に収容可能となる。
【００３１】
また、上記の通信管理装置と端末管理装置の連携を拡張し、通信管理装置と端末管理装置と資源管理装置との連携も行う。これにより、端末管理装置群及び通信管理装置群は互いの存在の管理を省略可能となる。
【００３２】
また、特定の主信号を特定の通信路に収容する方法を拡張し、特定の主信号の品質制御も行う。これにより、クライアント要求に応じて特定の主信号のみに品質制御が可能となる。
【発明を実施するための最良の形態】
【００３３】
以下、図面と共に本発明の実施の形態を説明する。
【００３４】
以下では、前述の図２０に示されるネットワーク構成に基づいて説明する。
【００３５】
［第１の実施の形態］
最初に、資源管理装置５０について説明する。
【００３６】
図３は、本発明の第１の実施の形態における資源管理装置の構成を示す。
【００３７】
同図に示す資源管理装置５０は、クライアントインタフェース５１、端末管理装置インタフェース５２、通信管理装置インタフェース５３、スケジューラ５４、データベース５５から構成される。
【００３８】
データベース５５は、図４に示すような予約管理テーブル５５１を有する。当該予約管理テーブル５５１は、予約番号、開始時刻、終了時刻、通信管理装置番号（ＩＤ）、予約ＩＤの各情報を格納する。なお、予約管理テーブル５５１の構成は、図４と異なる構成でもよく、さらに、図４と異なるデータベースを具備してもよい。
【００３９】
資源管理装置５０は、クライアントの要求を予約番号で管理し、予約番号に応じて通信路の確保を依頼する通信管理装置３０を管理する。但し、上記以外の方法で通信路群と通信端末群を予約してもよい。
【００４０】
次に、通信管理装置３０について説明する。
【００４１】
図５は、本発明の第１の実施の形態における通信管理装置の構成を示す。
【００４２】
同図に示す通信管理装置３０は、資源管理装置５０との信号の送受信を行う資源管理インタフェース３１、通信装置１０との信号の送受信を行う通信装置インタフェース３２、スケジューラ３３、データベース３４から構成される。
【００４３】
データベース３４は、図６に示すような通信予約管理テーブル３４１と図７に示すような通信資源管理テーブル３４２とを有する。当該通信予約管理テーブル３４１は、予約番号、開始時刻、終了時刻、容量、通過経路の情報、通信路の設定方法、通信路の削除方法等を管理する。通信資源管理テーブル３４２は、リンク番号、リンク端通信装置ポート番号、通信容量、スケール等を管理する。なお、データベース３４は、図６、図７に示すようなテーブルとは異なる構成でもよく、図６、図７と異なるデータベースを具備してもよい。
【００４４】
通信管理装置３０は、スケジューラ３３において、資源管理装置５０の依頼に応じてデータベース３４の通信資源管理テーブル３４２を参照し、確保可能な通信装置資源を計算し、通信路６０を確保する。同時に、通信予約管理テーブル３４１を用いて確保される通信路６０を予約番号で管理する。但し、上位以外の方法で通信路６０を確保し、管理してもよい。
【００４５】
次に、端末管理装置４０について説明する。
【００４６】
図８は、本発明の第１の実施の形態における端末管理装置の構成を示す。
【００４７】
同図に示す端末管理装置４０は、資源管理装置５０と信号の送受信を行う資源管理インタフェース４１、通信端末２０との信号の送受信を行う通信端末インタフェース４２、スケジューラ４３、データベース４４から構成される。
【００４８】
データベース４４は、端末予約管理テーブル４４１と資源管理テーブル４４２から構成される。端末予約管理テーブル４４１は、図９に示すように、予約番号、開始時刻、終了時刻、確保される通信端末群の情報等を管理する。資源管理テーブル４４２は、図１０に示すように、端末番号、処理能力情報、スケジュール等を管理する。なお、データベース４４は、図９、図１０に示すようなテーブルとは異なる構成でもよく、図９，１０と異なるデータベースを具備してもよい。
【００４９】
端末管理装置４０のスケジューラ４３は、資源管理装置５０の依頼に応じて、データベース４４の端末資源管理テーブル４４２を参照し、確保可能な通信端末資源を計算し、通信端末を確保する。同時に、端末予約管理テーブル４４１を用いて確保される通信端末２０を予約番号で管理する。但し、上記の方法以外の方法で通信端末を確保し、管理してもよい。
【００５０】
上記の資源管理装置５０は、通信管理装置３０と一体化してもよく、端末管理装置４０と一体化してもよく、もしくは、通信管理装置３０と端末管理装置４０の両方を含有してもよい。また、通信管理装置３０は、通信端末２０と一体化してもよい。
【００５１】
資源管理装置５０は、図２４の情報管理装置７０、通信管理装置３０、端末管理装置４０、もしくは、これらの一部と連携して利用可能な通信端末資源の量や、利用可能な通信路資源の量を確認可能である。同様に、通信管理装置３０及び端末管理装置４０も、資源管理装置５０、他の通信管理装置及び他の端末管理装置と連携する方法か、もしくは、情報管理装置７０と連携する方法を用いることにより、資源管理装置７０、他の通信管理装置、及び他の端末管理装置の存在を確認可能である。
【００５２】
クライアント８０は、ユーザもしくはアプリケーションである。但し、クライアントは資源管理装置７０に予約を依頼する機能を具備するものであればユーザ及びアプリケーションに限らなくてもよい。
【００５３】
資源管理装置５０は、クライアント８０からサービス提供要求を受け取った後、通信端末２０の予約を依頼すべき端末管理装置群４０を確定する。同様に、通信路の予約を依頼すべき通信管理装置群３０を確定する。
【００５４】
図１１は、本発明の第１の実施の形態における計算機と通信路の予約処理の一例を示す。同図では、資源管理装置７０が通信管理装置３０と端末管理装置４０と連携して通信端末２０と通信路６０を予約する動作を示している。この予約動作において、即時に使用したい資源を予約する場合と、将来に使用したい資源を予約する場合とが存在する。但し、どちらの場合においても処理動作は同じである。
【００５５】
サービス提供要求の内容の一例として、前述の非特許文献２に記載の方法を用いることが可能である。但し、通信路、通信端末、もしくは、通信路と通信端末の両方の確保を依頼する内容であれば非特許文献２と異なる内容でもよい。
【００５６】
図１２は、本発明の第１の実施の形態における処理シーケンスの一例である。
【００５７】
端末管理装置４０は、同図に示すように、一定時間の待機（ネットワークの予約を事前に入れておいて、予約時間なると制御に移る）の後に、予約された通信端末２０の情報を通信管理装置３０と交換する（信号情報交換ステップ(図１２、ステップ１０１)）。但し、一定時間の待機を行わなくてもよい。通知される通信端末情報の一例を図１３に示す。例えば、通信端末情報としては、主信号を送出するインタフェースのＭＡＣアドレス、ＩＰアドレス、及びポート番号等がある。但し、これら以外の情報でもよい。
【００５８】
通信管理装置３０は、図１４のように、端末管理装置群４０から通知された通信端末２０もしくは主信号の情報に基づき、予約された通信端末間で送受信される主信号の特徴を計算する。さらに、通信管理装置３０は、主信号の特徴に基づいて通信装置１０を制御する方法を確定する。すなわち、通信管理装置３０は、通信装置１０に流入出される主信号群の中から予約された通信端末間で交換される主信号群を選択して予約された通信路に収容するようなポリシを確定する。通信管理装置３０は、そのポリシを図６のデータベース３４の通信予約管理テーブル３４１の通信路の設定方法の欄に記憶する。
【００５９】
通信路６０は、Virtual Local Area Networkトンネル（VLANトンネル）、Label Switched Path(LSP)、もしくはスタディックルーティングなどの経路制御技術で構成される。但し、これら以外の経路制御技術を用いてもよい。
【００６０】
端末管理装置４０は、一定時間の待機の後、予約された通信端末群２０を制御する（端末制御ステップ（図１２、ステップ１０２））。結果、通信端末群２０は主信号の送受信を行う。但し、一定時間の待機を行わなくてもよい。
【００６１】
一方、通信管理装置３０は、一定時間の待機の後、データベース３４の通信要約管理テーブル３４１に記憶されている通信路の設定方法に基づいて通信装置１０を制御する（信号制御ステップ（図１２、ステップ１０３））。但し、一定時間の待機を行わなくてもよい。
【００６２】
通信装置１０は、通信管理装置３０による設定内容に基づいて流入の主信号を予約された通信路に収容する。
【００６３】
以上により、予約された通信端末２０間で送受信される主信号を、その主信号を収容して転送するために予約された通信路６０に確実に収容可能となる。
【００６４】
本実施の形態において、クライアントからのサービス提供要求が帯域指定の情報を含んでいる場合は、サービス提供要求によって指定された通信帯域に応じて予約された通信端末間を流れる主信号の通信帯域を制御する。
【００６５】
本実施の形態では、パケットフィルタリング技術として、以下の文献に記載の方法を利用する例を示す。
【００６６】
・http://en.wikipedia.org/wiki/PF_(firewall)（文献１）；
・Juniper Networks, Inc. "Filter-based forwarding" 
http://www.juniper.net/solutions/literature/white_papers/552003. pdf 」（文献２）；
・堀友和、他「ネットワークプロセッサにおけるセッション内容に依存した帯域制御方式の実装と評価(ブロードバンドサービス、CDN／P2P／Gridなどのオーバレイネットワーキング技術及び一般)」情報ネットワーク２００４」（文献３）；
・「田中賢、他『ネットワーク機器の負荷を軽減するフィルタリングルール再構成法」電子情報通信学会論文誌 B2005』」（文献４）：
パケットフィルタリング技術単体は、既存技術でよい。通信管理装置３０は、通信装置１０に対してパケットフィルタを設定する。パケットフィルタは、特定のフローに対して品質制御が可能である。
【００６７】
以上により、予約された通信端末２０間を流れる主信号のみの通信品質を制御可能となる。但し、パケットフィルタ以外の品質制御技術を用いてもよい。
【００６８】
［第２の実施の形態］
本実施の形態では、第１の実施の形態をベースとした信号制御方法において、主信号野識別情報を用いる例を示す。
【００６９】
図１５は、本発明の第２の実施の形態における処理シーケンスを示す。
【００７０】
同図に示す信号情報交換ステップ（ステップ２０１）では、通信管理装置３０が端末管理装置群４０に対し、主信号を識別するための識別情報を予約された通信端末間で交換される主信号に付与することを指示する。
【００７１】
識別情報としては、VLANTagID、もしくは、LSPラベル値がある。但し、これら以外の識別情報を用いてもよい。
【００７２】
端末管理装置４０は、指定された識別情報を主信号に付与して送信するように予約された通信端末２０を制御する（端末制御ステップ（ステップ２０２））。結果、通信端末２０は、指示された識別情報を主信号に付与し、主信号を送受する。
【００７３】
通信管理装置３０は、確保された通信装置資源群を制御し、識別情報付き主信号を確保された通信路に収容する（信号制御ステップ（ステップ２０３））。
【００７４】
以上により、通信管理装置３０が予約された通信端末間で交換される主信号の特徴を計算することなく、予約された通信端末２０間で送受信される主信号をその主信号を収容して転送するために予約された通信路に確実に収容可能となる。
【００７５】
さらに、通信管理装置３０がネットワーク状況を鑑みて、都合のよい識別情報を予約された通信端末群２０に割り当て可能となる。
【００７６】
[第３の実施の形態]
本実施の形態では、前述の第１の実施の形態において、通信管理装置３０と端末管理装置４０と資源管理装置５０が連携して確保される通信端末群２０の端末情報、もしくは、確保される通信端末群の間を流れる主信号の主信号情報を交換する際に、主信号の特徴を求める例を説明する。
【００７７】
図１６は、本発明の第３の実施の形態における処理シーケンスを示す。
【００７８】
本実施の形態において、端末管理装置郡４０は、予約された通信端末群の情報を資源管理装置に７０に通知する（信号情報交換ステップ（ステップ３０１））。資源管理装置７０は、予約を依頼した端末管理装置群４０とその端末管理装置によって予約された通信端末群２０の情報に基づいて、予約された通信端末間で交換される主信号の特徴を計算する。資源管理装置７０は、算出された主信号の特徴を通信管理装置３０に通知する。通信管理装置３０は、通知された主信号の特徴に基づいて通信装置１０の制御方法をデータベース３４の通信予約管理テーブル３４１に記憶する。
【００７９】
以降の処理は、第１の実施の形態と同様であるので、その説明は省略する。
【００８０】
本実施の形態では、資源管理装置７０が端末管理装置４０とのメッセージ処理の仲介を行う。本来端末管理装置４０と通信管理装置３０は、通信端末２０と通信路６０という異なる資源を管理する機能であり、別々の装置として実装されることが考えられる。別々に実装される場合、本来は互いの存在を把握する必要がない。
【００８１】
本実施の形態により、通信管理装置群３０と端末管理装置群４０が互いの存在を把握することなく、予約された通信端末間２０で送受信される主信号を、その主信号を収容して転送するために予約された通信路に確実に収容可能となる。
【００８２】
［第４の実施の形態］
本実施の形態では、第２の実施の形態における、通信管理装置３０と端末管理装置４０と資源管理装置５０が連携して確保される通信端末群２０の端末情報、もしくは、確保される通信端末群の間を流れる主信号の主信号情報を交換する場合に、識別情報を用いる例を説明する。
【００８３】
図１７は、本発明の第４の実施の形態における処理シーケンスを示す。
【００８４】
本実施の形態では、通信管理装置３０は、予約された通信端末２０群の間を流れる主信号を識別するための識別情報を資源管理装置７０に通知する。資源管理装置７０は、通知された識別情報を予約の依頼を行った通信端末群２０に通知する（信号情報交換ステップ（ステップ４０１））。
【００８５】
以降の処理は、第２の実施の形態と同様であるので、その説明を省略する。
【００８６】
本実施の形態により、第３の実施の形態と同様に、通信管理装置群３０と端末管理装置群４０が互いの存在を把握することなく、予約された通信端末群２０間で送受信される主信号を、その主信号を収容して転送するために予約された通信路に確実に収容することが可能となる。
【００８７】
［第５の実施の形態］
本実施の形態は、第１の実施の形態、または、第２の実施の形態に示す方法において、主信号に識別情報を付与する信号制御方法の例を示す。
【００８８】
図１８は、本発明の第５の実施の形態における処理シーケンスを示す。
【００８９】
本実施の形態における信号情報交換ステップ（ステップ５０１）では、通信管理装置３０が端末管理装置群４０に対し、主信号を識別するための識別情報を予約された通信端末間２０間で交換される主信号に付与することを指示する。一方、端末管理装置４０は、予約された通信端末２０の情報、もしくは、主信号情報を通信管理装置３０と交換する。通信管理装置３０は、端末管理装置群４０から通知された情報に基づき、予約された通信端末２０間で送受信される主信号の特徴を計算する。通信管理装置３０は、通信装置１０に流入出される主信号群の中から予約された通信端末２０間で交換される主信号群を選択して予約された通信路に収容するようなポリシを確定する。通信管理装置３０は、そのポリシをデータベース３４の通信予約管理テーブル３４１の通信路の設定方法の欄に記憶する。また、通信管理装置３０が端末管理装置群４０に対し、予約された通信端末２０間で交換される主信号に特定の優先度を付与することを指示する。
【００９０】
端末管理装置４０は、指定された優先度を主信号に付与して送信するように予約された通信端末２０を制御する（端末制御ステップ（ステップ５０２））。結果、通信端末２０は、優先度を主信号に付与し、主信号を送受する。
【００９１】
一方、通信管理装置３０は、予約された通信端末２０間を流れる主信号を確保された通信路６０に収容するように通信装置などを制御する（信号制御ステップ（ステップ５０３））。また、主信号の優先度に応じて主信号間の競合処理を制御するように通信装置１０などを制御する。
【００９２】
以上により、予約された通信端末間で送受される主信号を、その主信号を収容して転送するために予約された通信路に確実に収容可能となる。
【００９３】
以上により、予約された通信端末２０間で送受される主信号を、その主信号を収容して転送するために予約された通信路に確実に収容可能となる。さらに、通信装置１０内において、予約された通信端末２０間で送受される主信号（予約フロー）が予約されていない通信端末間で送受される主信号（非予約フロー）と競合する場合、非予約フローを積極的に廃棄し、予約フローの通信品質を保証することが可能となる。
【００９４】
［第６の実施の形態］
本実施の形態は、第３の実施の形態または、第４の実施の形態に示す方法において、主信号に優先度を付与する信号制御方法の例を示す。
【００９５】
図１９は、本発明の第６の実施の形態における処理シーケンスを示す。
【００９６】
本実施の形態における信号情報交換ステップ（ステップ６０１）では、通信管理装置３０が資源管理装置７０を介して端末管理装置群４０に対し、予約された通信端末２０間で交換される主信号に優先度を付与することを指示する。一方、端末管理装置群４０は、予約された通信端末群２０の情報を資源管理装置７０に通知する。
【００９７】
資源管理装置７０は、予約を依頼した端末管理装置群４０とその端末管理装置によって予約された通信端末群２０の情報に基づいて、予約された通信端末２０間で交換される主信号の特徴を計算する。資源管理装置７０は、算出された主信号の特徴を通信管理装置３０に通知する。通信管理装置３０は、通知された主信号の特徴に基づいて通信装置１０の制御方法をデータベース３４の通信予約管理テーブル３４１に記憶する。
【００９８】
端末管理装置４０は、指定された優先度を主信号に付与して送信するように予約された通信端末を制御する（端末制御ステップ（ステップ６０２））。結果、通信端末２０は、指示された優先度を主信号に付与し、主信号を送受する。
【００９９】
一方、通信管理装置３０は、予約された通信端末２０間を流れる主信号を確保された通信路に収容するように通信装置１０などを制御する（信号制御ステップ（ステップ６０３））。また、主信号の優先度に応じて主信号間の競合処理を制御するように通信装置１０等を制御する。
【０１００】
以上により、予約された通信端末２０間で送受される主信号を、その主信号を収容して転送するために予約された通信路６０に確実に収容可能となる。さらに、通信装置１０内において、予約された通信端末２０間で送受される主信号（予約フロー）が予約されていない通信端末２０間で送受される主信号（非予約フロー）と競合する場合、非予約フローを積極的に廃棄し、予約フローの通信品質を保証可能となる。
【０１０１】
なお、上記の各実施の形態における資源管理装置５０、端末管理装置４０、通信管理装置３０の構成要素の動作をプログラムとして構築し、これらの装置として利用されるコンピュータにインストールして実行させる、または、ネットワークを介して流通させることも可能である。
【０１０２】
また、構築されたプログラムをハードディスクや、フレキシブルディスク・ＣＤ−ＲＯＭ等の可搬記憶媒体に格納し、コンピュータにインストールする、または、配布することが可能である。
【０１０３】
なお、本発明は、上記の実施の形態に限定されることなく、特許請求の範囲内において種々変更・応用が可能である。
【産業上の利用可能性】
【０１０４】
本発明は、帯域保証付きの通信路を動的に割り当てる技術に適用可能である。
【図面の簡単な説明】
【０１０５】
【図１】本発明の原理を説明するための図である。
【図２】本発明の原理構成図である。
【図３】本発明の第１の実施の形態における資源管理装置の構成の一例である。
【図４】本発明の第１の実施の形態における資源管理装置が保有するデータベースの予約管理テーブルの一例である。
【図５】本発明の第１の実施の形態における通信管理装置の構成の一例である。
【図６】本発明の第１の実施の形態における通信管理装置が保有するデータベースの通信予約管理テーブルの一例である。
【図７】本発明の第１の実施の形態における通信管理装置が保有するデータベースの通信資源管理テーブルの一例である。
【図８】本発明の第１の実施の形態における端末管理装置の構成の一例である。
【図９】本発明の第１の実施の形態における端末管理装置が保有するデータベースの端末予約管理テーブルの一例である。
【図１０】本発明の第１の実施の形態における端末管理装置が保有するデータベースの資源管理テーブルの一例である。
【図１１】本発明の第１の実施の形態における計算機と通信路の予約処理の一例である。
【図１２】本発明の第１の実施の形態における処理シーケンスの一例である。
【図１３】本発明の第１の実施の形態における主信号情報もしくは端末情報の交換を示す図である。
【図１４】本発明の第１の実施の形態における端末管理装置と通信管理装置における主信号情報の交換処理イメージである。
【図１５】本発明の第２の実施の形態における処理シーケンスの一例である。
【図１６】本発明の第３の実施の形態における処理シーケンスの一例である。
【図１７】本発明の第４の実施の形態における処理シーケンスの一例である。
【図１８】本発明の第５の実施の形態における処理シーケンスの一例である。
【図１９】本発明の第６の実施の形態における処理シーケンスの一例である。
【図２０】従来の技術におけるネットワーク構成例である。
【図２１】従来の技術における制御信号の交換例（その１）である。
【図２２】従来の技術における制御信号の交換例（その２）である。
【図２３】従来の技術における制御信号の交換例（その３）である。
【図２４】従来の技術における情報管理装置を説明するための図である。
【図２５】従来の技術における品質・経路制御技術の適用例（その１）である。
【図２６】従来の技術における品質・経路制御技術の適用例（その２）である。
【符号の説明】
【０１０６】
１０  通信装置（通信装置群）
２０  通信端末（通信端末群）
３０  通信管理装置
３１  資源管理インタフェース
３２  通信装置インタフェース
３３  信号制御手段、スケジューラ
３４  第２の記憶手段、データベース
４０  端末管理装置
４１  資源管理インタフェース
４２  通信端末インタフェース
４３  スケジューラ
４４  第１の記憶手段、データベース
５０  資源管理装置
５１  クライアントインタフェース
５２  端末管理装置インタフェース
５３  通信管理装置インタフェース
５４  スケジューラ
５５  データベース
６０  通信路
３４１  通信予約管理テーブル
３４２  通信資源管理テーブル
４３１  信号情報交換手段
４３２  端末制御手段
４４１  端末予約管理テーブル
４４２  資源管理テーブル
５５１  予約管理テーブル
【図１】
2010068140.tif 000003
【図２】
2010068140.tif 000004
【図３】
2010068140.tif 000005
【図４】
2010068140.tif 000006
【図５】
2010068140.tif 000007
【図６】
2010068140.tif 000008
【図７】
2010068140.tif 000009
【図８】
2010068140.tif 000010
【図９】
2010068140.tif 000011
【図１０】
2010068140.tif 000012
【図１１】
2010068140.tif 000013
【図１２】
2010068140.tif 000014
【図１３】
2010068140.tif 000015
【図１４】
2010068140.tif 000016
【図１５】
2010068140.tif 000017
【図１６】
2010068140.tif 000018
【図１７】
2010068140.tif 000019
【図１８】
2010068140.tif 000020
【図１９】
2010068140.tif 000021
【図２０】
2010068140.tif 000022
【図２１】
2010068140.tif 000023
【図２２】
2010068140.tif 000024
【図２３】
2010068140.tif 000025
【図２４】
2010068140.tif 000026
【図２５】
2010068140.tif 000027
【図２６】
2010068140.tif 000028